(57)【要約】      （修正有）【課題】一人の人間が手に携えて容易に運搬でき、比較的少数の観客であっても簡便に資料を提示できる資料提示用自立式カバーを提供する。【解決手段】この資料提示用自立式カバー１は、前面に提示内容が描かれた複数の資料シート２，２，２，・・・と、複数の資料シート２，２，２，・・・の前方と後方に配置される一対の表紙部材３，４と、重ねられた複数の資料シート２，２，２，・・・および一対の表紙部材３，４を前後回動自在に枢支するヒンジ構造のリング部材１１と、一方の表紙部材３の回動先端側辺部３Ｂに設けられた連結用部と、連結用部に設けられた第１係止部７と、他方の表紙部材４に設けられた第２係止部８と、を備えて成り、第１係止部７が第２係止部８に係止された状態で、一対の表紙部材３，４のそれぞれの回動先端側辺部３Ｂ，４Ｂが机上Ｃなどに載置されたときに自立する構成にされている。【選択図】図４
0003190544.tif 000002
【実用新案登録請求の範囲】
【請求項１】
前面に提示内容が描かれた複数の資料シートと、
提示内容の提示順に前後に重ねられた複数の資料シートの前方と後方に配置される一対の表紙部材と、
前記重ねられた複数の資料シートおよび前記一対の表紙部材のそれぞれの一側辺部を前後回動自在に纏めて枢支するヒンジ構造と、
一方の表紙部材の回動先端側辺部に設けられ前記ヒンジ構造回りに反転された他方の表紙部材に連結するための連結用部と、
前記連結用部に設けられて前記反転状態の他方の表紙部材に連結するための第１係止部と、
前記他方の表紙部材に設けられて前記第１係止部と係脱自在に係止される第２係止部と、
を備えて成り、
前記第１係止部が前記第２係止部に係止された状態で、前記一対の表紙部材のそれぞれの回動先端側辺部が机上などに載置されたときに自立する構成と成っていることを特徴とする携帯式の資料提示用自立式カバー。
【請求項２】
前記ヒンジ構造がリング部材で構成され、前記重ねられた複数の資料シートおよび前記一対の表紙部材のそれぞれの一側辺部に形成された穿孔部に、前記リング部材が通されている請求項１に記載の資料提示用自立式カバー。
【請求項３】
前記ヒンジ構造がコイル状螺旋部材で構成され、前記重ねられた複数の資料シートおよび前記一対の表紙部材のそれぞれの一側辺部に連ねて形成された複数の穿孔部に、前記コイル状螺旋部材が通されている請求項１に記載の資料提示用自立式カバー。
【請求項４】
前記ヒンジ構造がファイルバインダー式リング部材で構成され、前記重ねられた複数の資料シートのそれぞれの一側辺部に形成された穿孔部に、前記ファイルバインダー式リング部材が通されている請求項１に記載の資料提示用自立式カバー。
【請求項５】
前記第１係止部が雄スナップボタンまたは雌スナップボタンで構成され、前記第２係止部が前記第１係止部である前記雄スナップボタンまたは前記雌スナップボタンに係脱自在に係止される雌スナップボタンまたは雄スナップボタンで構成されている請求項１から請求項４までのいずれか一項に記載の資料提示用自立式カバー。
【請求項６】
前記第１係止部が磁石で構成され、前記第２係止部が前記第１係止部の磁石に係脱自在に磁着される磁石で構成されている請求項１から請求項４までのいずれか一項に記載の資料提示用自立式カバー。
【請求項７】
前記第１係止部が面ファスナーの鉤部材またはループ部材で構成され、前記第２係止部が前記第１係止部の面ファスナーの鉤部材またはループ部材に係脱自在に係止される面ファスナーのループ部材または鉤部材で構成されている請求項１から請求項４までのいずれか一項に記載の資料提示用自立式カバー。
【請求項８】
前記第１係止部が前記連結用部の先端部に形成された差込片部で構成され、前記第２係止部が前記他方の表紙部材に形成されていて前記差込片部が外側から挿し込まれて係脱自在に係止されるスリット部で構成されている請求項１から請求項４までのいずれか一項に記載の資料提示用自立式カバー。
【請求項９】
前記第１係止部または前記第２係止部が、前記連結用部または前記他方の表紙部材に前後方向に間隔をおいて複数設けられている請求項１から請求項８までのいずれか一項に記載の資料提示用自立式カバー。
【請求項１０】
前記連結用部が、前記一方の表紙部材の回動先端側辺部から延在して前後折り曲げ自在に形成された延在板部で構成されている請求項１から請求項９までのいずれか一項に記載の資料提示用自立式カバー。
【請求項１１】
前記一方の表紙部材が蓋体で構成され、前記他方の表紙部材が前記蓋体内に収容されるシート支持板で構成され、前記ヒンジ構造が前記蓋体および前記シート支持板のそれぞれの一側辺部に取り付けられ、前記連結用部が前記蓋体の回動先端側辺部に設けられて前記蓋体により開閉自在に蓋止される箱体で構成され、前記第２係止部が前記シート支持板の回動先端側辺部で構成され、前記第１係止部が前記箱体に形成されて前記シート支持板の回動先端側辺部を係脱自在に係止する突条部で構成されている請求項１から請求項４までのいずれか一項に記載の資料提示用自立式カバー。
【請求項１２】
前記第１係止部である突条部が、前記連結用部である前記箱体に前後方向に間隔をおいて複数設けられている請求項１１に記載の資料提示用自立式カバー。
【請求項１３】
透明ないし半透明な袋状のクリアファイル内に前記資料シートが収容され、前記資料シートを収容した複数のクリアファイルのそれぞれの一側辺部が前記ヒンジ構造に前後回動自在に纏めて枢支されている請求項１から請求項１２までのいずれか一項に記載の資料提示用自立式カバー。
【請求項１４】
前記資料シートの前面に描かれる提示内容が、紙芝居、プレゼンテーション用資料、書籍の一部、印刷物、メニュー、または写真を含むものである請求項１から請求項１３までのいずれか一項に記載の資料提示用自立式カバー。
【請求項１５】
前記第１係止部と前記第２係止部は、前記一対の表紙部材、前記ヒンジ構造および前記連結用部から成る構造内で自由に採用され搭載され得るものである請求項５から請求項８までのいずれか一項に記載の資料提示用自立式カバー。
【請求項１６】
前記第１係止部と前記第２係止部により、不使用時または運搬時には前記資料シートが前記表紙部材と前記延在板部でたたみ込まれて係止され封じられることを特徴とする請求項５から請求項８までのいずれか一項に記載の資料提示用自立式カバー。
【考案の詳細な説明】
【技術分野】
【０００１】
本考案は、紙芝居やプレゼンテーション資料などを提示するための器具に係り、具体的には、一人の人間が手に携えて容易に運搬でき、比較的少数の観客が相手であっても資料の提示に適した資料提示用自立式カバーに関するものである。
【背景技術】
【０００２】
従来、或る資料を複数の人に見せながら解説するものとして、紙芝居がよく知られている。紙芝居のおじさんは、自転車に紙芝居と水飴などの駄菓子を積んで街頭を回って、拍子木を打ち、子供を集めて駄菓子を売り、或る程度人数が集まれば紙芝居を始めたのである。このような紙芝居に関する技術としては、例えば下記の特許文献１に記載されたものが知られている。
【０００３】
一方、最近では営業活動や技術説明として、プレゼンテーション（以下、「プレゼン」と略称する。）が行なわれている。このプレゼンでは、パーソナルコンピュータ（以下、「パソコン」と略称する。）を使って文字と画像のデータを作成し、パソコンに接続したプロジェクターからスクリーンに映像を投射しながら、自社の商品や技術の特徴を説明するようにしている。
【先行技術文献】
【特許文献】
【０００４】
【特許文献１】特開２００３−２２０７７５号公報
【考案の概要】
【考案が解決しようとする課題】
【０００５】
ところで、上記した紙芝居では、自転車の荷台に設置した紙芝居媒体（資料シート）を提示する木製のケースが必要となる。他方、プレゼンの場合は、プレゼン資料作成およびデータ送信のパソコン、これを投影するプロジェクターおよびスクリーンが必要となる。また、紙芝居やプレゼンに必要な器具・装置は、サイズが比較的大きく且つ重く、一人の人間が手に携えて運搬することが難しい。そして、これらの紙芝居やプレゼンは、１０名以上の比較的多数の観客を対象とする場合が多い。
【０００６】
本考案は、上記した従来の問題点に鑑みてなされたものであって、一人の人間が手に携えて容易に運搬でき、比較的少数の観客であっても簡便に資料を提示できる資料提示用自立式カバーの提供を目的とする。
【課題を解決するための手段】
【０００７】
上記目的を達成するために、本考案に係る資料提示用自立式カバーは、前面に提示内容が描かれた複数の資料シートと、提示内容の提示順に前後に重ねられた複数の資料シートの前方と後方に配置される一対の表紙部材と、重ねられた複数の資料シートおよび一対の表紙部材のそれぞれの一側辺部を前後回動自在に纏めて枢支するヒンジ構造と、一方の表紙部材の回動先端側辺部に設けられヒンジ構造回りに反転された他方の表紙部材に連結するための連結用部と、連結用部に設けられて反転状態の他方の表紙部材に連結するための第１係止部と、他方の表紙部材に設けられて第１係止部と係脱自在に係止される第２係止部と、を備えて成り、第１係止部が第２係止部に係止された状態で、一対の表紙部材のそれぞれの回動先端側辺部が机上などに載置されたときに自立する構成にしてある。
【０００８】
また、前記構成において、ヒンジ構造がリング部材で構成され、重ねられた複数の資料シートおよび一対の表紙部材のそれぞれの一側辺部に形成された穿孔部に、リング部材が通されているものである。
【０００９】
そして、前記した各構成において、ヒンジ構造がコイル状螺旋部材で構成され、重ねられた複数の資料シートおよび一対の表紙部材のそれぞれの一側辺部に連ねて形成された複数の穿孔部に、コイル状螺旋部材が通されているものである。
【００１０】
更に、前記した各構成において、ヒンジ構造がファイルバインダー式リング部材で構成され、重ねられた複数の資料シートのそれぞれの一側辺部に形成された穿孔部に、ファイルバインダー式リング部材が通されているものである。
【００１１】
また、前記した各構成において、第１係止部が雄スナップボタンまたは雌スナップボタンで構成され、第２係止部が第１係止部である雄スナップボタンまたは雌スナップボタンに係脱自在に係止される雌スナップボタンまたは雄スナップボタンで構成されているものである。
【００１２】
そして、前記した各構成において、第１係止部が磁石で構成され、第２係止部が第１係止部の磁石に係脱自在に磁着される磁石で構成されているものである。
【００１３】
更に、前記した各構成において、第１係止部が面ファスナーの鉤部材またはループ部材で構成され、第２係止部が第１係止部の面ファスナーの鉤部材またはループ部材に係脱自在に係止される面ファスナーのループ部材または鉤部材で構成されているものである。
【００１４】
また、前記した各構成において、第１係止部が連結用部の先端部に形成された差込片部で構成され、第２係止部が他方の表紙部材に形成されていて差込片部が外側から挿し込まれて係脱自在に係止されるスリット部で構成されているものである。
【００１５】
そして、前記した各構成において、第１係止部または第２係止部が、連結用部または他方の表紙部材に前後方向に間隔をおいて複数設けられているものである。
【００１６】
更に、前記した各構成において、連結用部が、一方の表紙部材の回動先端側辺部から延在して前後折り曲げ自在に形成された延在板部で構成されているものである。
【００１７】
そして、前記した各構成において、一方の表紙部材が蓋体で構成され、他方の表紙部材が蓋体内に収容されるシート支持板で構成され、ヒンジ構造が蓋体およびシート支持板のそれぞれの一側辺部に取り付けられ、連結用部が蓋体の回動先端側辺部に設けられて蓋体により開閉自在に蓋止される箱体で構成され、第２係止部がシート支持板の回動先端側辺部で構成され、第１係止部が箱体に形成されてシート支持板の回動先端側辺部を係脱自在に係止する突条部で構成されているものである。
【００１８】
更に、前記した各構成において、第１係止部である突条部が、連結用部である箱体に前後方向に間隔をおいて複数設けられているものである。
【００１９】
また、前記した各構成において、透明ないし半透明な袋状のクリアファイル内に資料シートが収容され、資料シートを収容した複数のクリアファイルのそれぞれの一側辺部がヒンジ構造に前後回動自在に纏めて枢支されているものである。
【００２０】
そして、前記した各構成において、資料シートの前面に描かれる提示内容が、紙芝居、プレゼンテーション用資料、書籍の一部、印刷物、メニュー、または写真を含むものである。
【００２１】
更に、請求項５から請求項８までのいずれかの各構成において、第１係止部と第２係止部は、一対の表紙部材、ヒンジ構造および連結用部から成る構造内で自由に採用され搭載され得るものである。
【００２２】
また、請求項５から請求項８までのいずれかの各構成において、第１係止部と第２係止部により、不使用時または運搬時には資料シートが表紙部材と延在板部でたたみ込まれて係止され封じられるものである。
【考案の効果】
【００２３】
本考案に係る資料提示用自立式カバーは携帯可能な大きさである。そのうえ、他方の表紙部材がヒンジ構造周りに反転された状態で、一方の表紙部材から延在されている連結用部の第１係止部が他方の表紙部材の第２係止部に係止されることにより、側面から視て三角状枠体となる。従って、その三角状枠体の底部に位置する連結用部を机上などに載置させると、この資料提示用自立式カバーは自立することができる。そして、資料シートはヒンジ構造周りに前後反転可能なので、前方に居る観客には資料シートの提示内容を見せることができる。すなわち、一人の人間が手に携えて容易に運搬でき、比較的少数の観客を相手でも資料内容を提示することのできる資料提示用自立式カバーを提供できる。
【００２４】
また、第１係止部または第２係止部が、連結用部または他方の表紙部材に前後方向に間隔をおいて複数設けられているものでは、複数の係止部のいずれかを選んで他方の係止部と係止させることにより、一方の表紙部材と他方の表紙部材との傾斜角度を変えて固定することができる。これにより、例えば観者の背の高さに合わせて資料シートの提示内容を見えやすくすることができる。
【００２５】
そして、箱体と蓋体とシート支持板を備えるものでは、携帯時に複数の資料シートを箱内に収容できるから、資料シートを丁寧に且つ安全に且つ提示内容を外部から見られることなく、持ち運ぶことができる。一方、蓋体を開いて資料シートを示すときには、箱体および蓋体があたかも紙芝居木箱のような趣を呈するので格調高い雰囲気を醸し出すことができる。
【００２６】
更に、クリアファイルを用いるものでは、資料シートがクリアファイル内に収容されるので、ヒンジ構造から着脱させることなく、資料シートを簡単に取り入れ、取り外しできるようになる。
【図面の簡単な説明】
【００２７】
【図１】本考案の実施形態１に係る資料提示用自立式カバーの外観図である。
【図２】前記資料提示用自立式カバーを開いた状態を示す説明図である。
【図３】前記資料提示用自立式カバーの表紙部材を回転させた状態を示す説明図である。
【図４】前記資料提示用自立式カバーを机上に自立させた状態を示す説明図である。
【図５】本考案の実施形態２に係る資料提示用自立式カバーの外観図である。
【図６】本考案の実施形態３に係る資料提示用自立式カバーを示す図であって、（ａ）は斜視図、（ｂ）はこの資料提示用自立式カバーに用いられるファイルバインダーの斜視図である。
【図７】本考案の実施形態４に係る資料提示用自立式カバーの表紙部材を回転させた状態を示す説明図である。
【図８】前記資料提示用自立式カバーの表紙部材を回転させた状態を示す説明図である。
【図９】前記資料提示用自立式カバーの外観図である。
【図１０】前記資料提示用自立式カバーの差込片部をスリット部に挿し込んで係止させ自立可能にさせた状態を示す説明図である。
【図１１】本考案の実施形態５に係る資料提示用自立式カバーの外観図である。
【図１２】本考案の実施形態６に係る資料提示用自立式カバーの外観図である。
【図１３】本考案の実施形態７に係る資料提示用自立式カバーの外観図である。
【図１４】前記資料提示用自立式カバーの把手を引き出した状態を示す説明図である。
【図１５】前記資料提示用自立式カバーを開いた状態を示す説明図である。
【図１６】前記資料提示用自立式カバーのシート支持板を突条部に係止させて自立可能にさせた状態を示す説明図である。
【図１７】本考案の実施形態８に係る資料提示用自立式カバーに用いられるクリアファイルおよび収容された資料シートを示す外観図である。
【考案を実施するための形態】
【００２８】
本考案の実施形態を図面に基づいて説明する。尚、以下に述べる各実施形態それぞれは本考案を具体化した一例に過ぎず、本考案の技術的範囲を限定するものでない。図１は本考案の実施形態１に係る資料提示用自立式カバーの外観図、図２は前記資料提示用自立式カバーを開いた状態を示す説明図、図３は前記資料提示用自立式カバーの表紙部材を回転させた状態を示す説明図、図４は前記資料提示用自立式カバーを机上に自立させた状態を示す説明図である。
各図において、この実施形態に係る資料提示用自立式カバー１は携帯可能な器具として構成されている。この資料提示用自立式カバー１は、前面に提示内容Ａが描かれた複数枚の資料シート２，２，２，・・・と、提示内容Ａの規定提示順で前後に重ねられた複数の資料シート２，２，２，・・・の前方と後方に配置される一対の表紙部材３，４と、重ねられた複数の資料シート２，２，２，・・・および一対の表紙部材３，４のそれぞれの一側辺部２ａ，３ａ，４ａを前後回動自在に纏めて枢支するヒンジ構造５と、一方の表紙部材３の回動先端側辺部３Ｂに前後方向に延在して設けられた連結用部９と、連結用部９に設けられた第１係止部７と、他方の表紙部材４に設けられた第２係止部８と、から構成されている。
【００２９】
前記の連結用部９は、ヒンジ構造５回りに反転された他方の表紙部材４に連結するためのものである。この連結用部９は、一方の表紙部材３の回動先端側辺部３Ｂから延在して前後折り曲げ自在に形成された延在板部６Ａおよび延在板部６Ｂで構成されている。延在板部６Ａと延在板部６Ｂは、境目の折り曲げ線部６Ｃで前後折り曲げ自在となっている。また、前記の連結用部９の第１係止部７は、反転状態の他方の表紙部材４に連結するためのものであり、表紙部材４の第２係止部８は前記の第１係止部７と係脱自在に係止されるものである。第１係止部７は例えば左右１対の雄スナップボタン１２，１２で構成されている。第２係止部８は、前記の雄スナップボタン１２に係脱自在に係止される左右の雌スナップボタン１３，１３で構成されている。これら左右の雌スナップボタン１３，１３は、例えば３組が表紙部材４に前後方向に間隔をおいて設けられている。
【００３０】
前記のヒンジ構造５は、リング部材１１と、重ねられた複数の資料シート２，２，２，・・・および一対の表紙部材３，４のそれぞれの一側辺部２ａ，３ａ，４ａに形成されていてリング部材１１が通される穿孔部１０，１０，１０，・・・と、から構成されている。リング部材１１は、２つの半円状部材と、これら半円状部材の一端部に回動自在に設けられたヒンジ部（図示省略）と、これら半円状部材の他端部に形成されていて互いに係脱可能に係合する係止爪部（図示省略）と、から半割れ式に構成されている。資料シート２，２，２，・・・および一対の表紙部材３，４は、それぞれの穿孔部１０，１０，１０，・・・がリング部材１１，１１に通されて枢支される。
【００３１】
上記のように構成された資料提示用自立式カバー１の作用を次に説明する。ここでは、例えば提示内容Ａが「紙芝居」である例を示す。
まず、紙芝居を行なうにあたって、図１に示すように、連結用部９の延在板部６Ａおよび延在板部６Ｂが回動先端側辺部３Ｂの周りに回転されて開かれる（矢印Ｉ）。次に、図２に示すように、表紙部材４がヒンジ構造５の周りに回転されて開かれる（矢印Ｈ）。更に、図３に示すように、ヒンジ構造５が持ち上げられる（矢印Ｊ）。次に、延在板部６Ａおよび延在板部６Ｂが回動先端側辺部３Ｂの周りに回転される（矢印Ｋ）。その後、図４に示すように、延在板部６Ａが底部とされたのち、延在板部６Ｂが折り曲げ線部６Ｃの周りに回転されて立ち上げられ（矢印Ｌ）、表紙部材３の延在板部６Ｂにある２個の雄スナップボタン１２，１２が、表紙部材４の雌スナップボタン１３，１３に押し込まれて固定されるのである。このとき、全ての資料シート２，２，２，・・・は、表紙部材３上で斜めに置かれている。
【００３２】
この実施形態の資料提示用自立式カバー１は、上記したように構成されているので、運搬時には基本的にルーズリーフの形態となっており、携帯可能（ハンディータイプ）である。資料シート２，２，２，・・・は一側辺部２Ａ側がリング部材１１で綴じられているので、取り纏めて保管でき、運搬時に資料シート２，２，２，・・・と一体化した形態となり、資料シート２，２，２，・・・を規定の提示順番（物語の場面順）通りに取り纏めて保管できる。また、資料シート２，２，２，・・・は、開閉自在なリング部材１１で綴じられているので、リング部材１１の係止爪部を開くことにより資料シート２の増減・差し替え・交換などが容易にできる。
【００３３】
そして、この資料提示用自立式カバー１は、資料シート２を提示する際に、第１係止部７が第２係止部８に係止された状態で、延在板部６Ａを下にして表紙部材３，４のそれぞれの回動先端側辺部３Ｂ，４Ｂが机上Ｃやテーブル上などに載置されることにより自立型となる。更に、表紙部材４の雌スナップボタン１３，１３は高さを変えて３組取り付けられているので、一番上の雌スナップボタン１３，１３の組に連結用部９の雄スナップボタン１２，１２を取り付けると、延在板部６Ａの水平方向の実質長さが短くなり、資料シート２は比較的直立に近い傾斜角度となる。また、一番下の雌スナップボタン１３，１３の組に連結用部９の雄スナップボタン１２，１２を取り付けると、延在板部６Ａの水平方向の実質長さが長くなる。このようにして、提示する資料シート２の傾斜角度を調節することができる。
そして、不使用時や運搬時には、図１のように、資料シート２は、表紙部材４の雌スナップボタン１３，１３と連結用部９の雄スナップボタン１２，１２が係止されることにより、表紙部材３，４と連結用部９の延在板部でたたみ込まれて封じられている。
他方で、上記実施形態１の構成とは逆に、第１係止部７を雌スナップボタンで構成するとともに、第２係止部８を雄スナップボタンで構成しても構わない。
また、別の実施形態として、前記した係止部のスナップボタンを面ファスナーや磁石などの係止部に置き変えることができる。
【００３４】
［実施形態２］
尚、下記する実施形態２以降において、それ以前の実施形態に登場した構成要素と同じものについては、同じ符号を付して説明を省略することがある。
ところで、上記した実施形態１の資料提示用自立式カバー１では、ヒンジ構造５の一部としてリング部材１１を用いた例を示したが、本考案の資料提示用自立式カバーはそれに限定されるものでない。
例えば、図５に示す実施形態２の資料提示用自立式カバー１ａでは、ヒンジ構造５が、コイル状螺旋部材１４と、重ねられた複数の資料シート２，２，２，・・・および一対の表紙部材３，４のそれぞれの一側辺部２Ａ，３Ａ，４Ａに連ねて形成された複数の穿孔部１０，１０，１０，１０、・・・と、から構成されている。これら複数の穿孔部１０，１０，１０，１０、・・・に、コイル状螺旋部材１４が順次通されることにより、資料シート２，２，２，・・・および一対の表紙部材３，４が反転自在に枢支される。このコイル状螺旋部材１４を用いたことにより、実施形態１の資料提示用自立式カバー１と比べて、資料シート２，２，２，・・・および一対の表紙部材３，４をしっかりと耐久性よく保持することができる。
【００３５】
また、この資料提示用自立式カバー１ａにおいて、第１係止部７は面ファスナーの鉤部材１５で構成されている。第２係止部は、前記の鉤部材１５に係脱自在に係止される面ファスナーのループ部材１６で構成されている。これらのような面ファスナーの鉤部材１５およびループ部材１６を用いたことにより、表紙部材４に対する連結用部９の係止が、極めて容易となるうえ確実に係止させることができる。
【００３６】
［実施形態３］
図６（ａ）に示すように、この実施形態の資料提示用自立式カバー１ｂにおいて、ヒンジ構造５は、ファイルバインダー式リング部材１７と、重ねられた複数の資料シート２，２，２，・・・および一対の表紙部材３，４のそれぞれの一側辺部２Ａ，３Ａ，４Ａに連ねて形成された複数の穿孔部１０，１０，１０，１０、・・・と、から構成されている。ファイルバインダー式リング部材１７は、図６（ｂ）に示すように、多数配置されたリング部１９，１９，１９，・・・と、これらのリング部１９，１９，１９，・・・を開閉自在に枢支するバインダー本体１８と、バインダー本体１８の両端に設けられてリング部１９，１９，１９，・・・を開閉操作するための操作レバー２０，２０と、から構成されている。そして、前記した複数の穿孔部１０，１０，１０，１０、・・・に、ファイルバインダー式リング部材１７のリング部１９，１９，１９，・・・が通されて枢支される。このファイルバインダー式リング部材１７を用いたことにより、実施形態２の資料提示用自立式カバー１ａと比べて、資料シート２，２，２，・・・や表紙部材３，４の取り付け・取り外しが容易であり、資料シート２，２，２，・・・の提示順も簡単に変更することができる。
【００３７】
他方で、この資料提示用自立式カバー１ｂにおいて、第１係止部７は面ファスナーのループ部材１６で構成されている。第２係止部は、前記のループ部材１６に係脱自在に係止される面ファスナーの鉤部材１５で構成されている。すなわち、実施形態２の資料提示用自立式カバー１ａに対して、鉤部材１５とループ部材１６とを互いに入れ替えて使用できることを示している。
【００３８】
［実施形態４］
図７〜図１０に示すように、この実施形態の資料提示用自立式カバー１ｃにおいて、第１係止部７は連結用部９の延在板部６Ｂの先端部に形成された差込片部２３で構成されている。第２係止部８は他方の表紙部材４に形成されたスリット部２４で構成されている。前記の差込片部２３は、図８に示すように反転させた表紙部材４のスリット部２４に挿し込まれて係脱自在に係止されるようになっている。また、延在板部６Ａの内面には雄スナップボタン２１が取り付けられている。表紙部材４の外面には、前記の雄スナップボタン２１と係脱自在に係止される雌スナップボタン２２が取り付けられている。
【００３９】
上記したような構成の資料提示用自立式カバー１ｃでは、連結用部９が表紙部材３から開かれ（矢印Ｏ）、表紙部材４が資料シート２，２，２・・・の上から開かれ（矢印Ｎ）、更に表紙部材４が反転される（矢印Ｐ）。その後、延在板部６Ａが回動先端側辺部３Ｂ周りに折り返される（矢印Ｑ）。そして、表紙部材４の回動先端側辺部４Ｂが表紙部材３の回動先端側辺部３Ｂに近づけられる。その後、図９に示すように、連結用部９の延在板部６Ａが折り返され（矢印Ｒ）、更に折り曲げ線部６Ｃを枢軸線として、延在板部６Ｂが延在板部６Ａから折り返されて表紙部材４の外側位置に立てられる（矢印Ｓ）。続いて、図１０に示すように、差込片部２３が折り曲げ線部６Ｅを境に折り返されたのち（矢印Ｔ）、スリット部２４に挿入されて係止されるのである（矢印Ｕ）。
すなわち、この資料提示用自立式カバー１ｄは、第１係止部材および第２係止部材としてのスナップボタンなど別部品を用いることなく、連結用部９を表紙部材４に係止でき、別部品が無いぶん、安価且つシンプル外観且つ薄手の構成を提供できる。一方で、不使用時や運搬時には、複数の資料シート２，２，２・・・の上に表紙部材４が重ね合わされたのち、その表紙部材４の上に延在板部６Ａが重ねられ、延在板部６Ａの雄スナップボタン２１が表紙部材４の雌スナップボタン２２に係止されることにより、資料シート２，２，２，・・・が表紙部材３と表紙部材４の間に封じられる。
【００４０】
［実施形態５］
図１１に示すように、この実施形態の資料提示用自立式カバー１ｄにおいて、表紙部材３と表紙部材４は折り曲げ部２５を介して一体につながっている。また、第１係止部７は磁石３３で構成されている。そして、第２係止部８は、磁石３３に係脱自在に磁着される磁石３４で構成されている。このように、磁石３３，３４を用いたものでは、表紙部材４に対し連結用部９を簡単に取り付けまたは取り外しすることができる。この実施形態の資料シート２、表紙部材３，４はいずれも横長に形成されているが、これらを縦長の形状にしたものも本考案に含まれることは言うまでもない。
一方で、第１係止部７を磁石３４で構成するとともに、第２係止部８を、磁石３４に係脱自在に磁着される磁石３３で構成しても構わない。
【００４１】
［実施形態６］
本考案に用いる資料シートおよび一対の表紙部材の形状は、既述したような正面視で四角形状のものに限定されず、ヒンジ構造回りに反転可能な状態であれば、如何なる形状でも構わない。例えば、実施形態１の資料提示用自立式カバー１の外形を変更させて、図１２に示す資料提示用自立式カバー１ｅのように、資料シート２ａ、表紙部材３ａ，４ａ、および延在板部６Ｂａが，左右に丸みを帯びた曲線の輪郭を有しているようなものも、本考案に含まれる。
【００４２】
［実施形態７］
図１３〜図１６に示すように、この実施形態の資料提示用自立式カバー１ｆにおいて、一方の表紙部材４は蓋体２６で構成されている。他方の表紙部材３は蓋体２６内に収容されるシート支持板３０で構成されている。ヒンジ構造５を構成するファイルバインダー１７は、蓋体２６およびシート支持板３０のそれぞれの一側辺部４Ａ，３Ａに取り付けられている。前記の蓋体２６は、蓋体２６の回動先端側辺部４Ｂに設けられた延在板部３１を介して箱体２７と連結されている。すなわち、連結用部９は前記の延在板部３１および蓋体２７から構成される。蓋体２６の回動先端側辺部４Ｂの外側面には、矢印Ｖ方向に引き出される把手２８が設けられており携帯可能となっている。前記の蓋体２６は箱体２７の開口部（図１５では上面を向いて開口している）を開閉自在に蓋止する。第２係止部８はシート支持板３０の回動先端側辺部３Ｂで構成されている。第１係止部７は箱体２７内に突出して形成された突条部２９で構成される。突条部２９は、箱体２７内に前後方向に間隔をおいて例えば３つ設けられている。これら３つの突条部２９，２９，２９は、シート支持板３０の回動先端側辺部３Ｂを係脱自在に係止するようになっている。
【００４３】
前記した資料提示用自立式カバー１ｆによれば、回動先端側辺部４Ｂおよび折り曲げ線部３２を枢軸線として、蓋体２６が箱体２７から開けられて１８０度展開される（図１５の矢印Ｗ）。次に、シート支持板３０がファイルバインダー１７周りに回されて回動先端側辺部３Ｂが引き出される（矢印Ｘ）。その後、図１６に示すように、蓋体２６が箱体２７に向けて起されたのち（矢印Ｙ）、シート支持板３０の回動先端側辺部３Ｂが、３つの突条部２９，２９，２９のいずれかに係止されるのである。従って、携帯時には複数の資料シート２，２，２，・・・を箱内に収容できるから、提示内容Ａを丁寧に且つ安全に且つ外部から見られることなく持ち運ぶことができる。一方、蓋体２６を開いて提示内容Ａを示すときには、蓋体２６および箱体２７があたかも紙芝居の木箱のような趣きを呈して格調高い雰囲気を醸し出すことができる。
【００４４】
［実施形態８］
図１７に示すように、この実施形態の資料提示用自立式カバーにおいては、透明な袋状のクリアファイル３５内に資料シート２が収容される。このクリアファイル３５では、袋部３６の一端に開口部３７が形成され、袋部３６の一側辺部にヒンジ辺部３８が設けられている。ヒンジ辺部３８には、枢支用の複数の穿孔部１０，１０，１０，・・・が形成されている。そして、資料シート２を収容した複数のクリアファイル３５，３５，３５，・・・はそれぞれの一側辺部がヒンジ構造に前後回動自在に纏めて枢支される。この場合、資料シート２の前面に描かれる提示内容Ａは、この例では紙芝居「みにくいアヒルの子」の一場面を表わしている。
尚、上記では、クリアファイル３５として透明なものを例示したが、収容した資料シート２の提示内容Ａを視認できる程度の例えば半透明な袋状に形成されたものであっても構わない。
【００４５】
また、上記では、資料シート２の前面に描かれる提示内容Ａとして、紙芝居の場面を例示したが、本考案の提示内容は紙芝居に限られるものでない。例えば、プレゼンテーション用資料、書籍の一部、印刷物、メニュー、または写真などを、提示内容とすることも可能である。
【００４６】
そして、上記した第１係止部と第２係止部は、一対の表紙部材、ヒンジ構造および連結用部から成る構造内で、自由に採用でき搭載することができるものである。
【符号の説明】
【００４７】
１〜１ｆ  資料提示用自立式カバー
２，２ａ  資料シート
２Ａ  一側辺部
３，３ａ  表紙部材
３Ａ  一側辺部
３Ｂ  回動先端側辺部
４，４ａ  表紙部材
４Ａ  一側辺部
４Ｂ  回動先端側辺部
５    ヒンジ構造
６Ａ  延在板部
６Ｂ，６Ｂａ  延在板部
６Ｃ  折り曲げ線部
６Ｄ  回動先端側辺部
６Ｅ  折り曲げ線部
７    第１係止部
８    第２係止部
９    連結用部
１０  穿孔部
１１  リング部材
１２  雄スナップボタン
１３  雌スナップボタン
１４  コイル状螺旋部材
１５  面ファスナーの鉤部材
１６  面ファスナーのループ部材
１７  ファイルバインダー式リング部材
１８  バインダー本体
１９  リング部
２０  操作レバー
２１  雄スナップボタン
２２  雌スナップボタン
２３  差込片部
２４  スリット部
２５  折り曲げ部
２６  蓋体
２７  箱体
２８  把手
２９  突条部
３０  シート支持板
３０Ｂ  回動先端側辺部
３１  延在板部
３２  折り曲げ線部
３３  磁石
３４  磁石
３５  クリアファイル
３６  袋部
３７  開口部
３８  ヒンジ辺部
Ａ    提示内容
Ｃ    机上
Ｈ〜Ｙ  矢印
【図１】
0003190544.tif 000003
【図２】
0003190544.tif 000004
【図３】
0003190544.tif 000005
【図４】
0003190544.tif 000006
【図５】
0003190544.tif 000007
【図６】
0003190544.tif 000008
【図７】
0003190544.tif 000009
【図８】
0003190544.tif 000010
【図９】
0003190544.tif 000011
【図１０】
0003190544.tif 000012
【図１１】
0003190544.tif 000013
【図１２】
0003190544.tif 000014
【図１３】
0003190544.tif 000015
【図１４】
0003190544.tif 000016
【図１５】
0003190544.tif 000017
【図１６】
0003190544.tif 000018
【図１７】
0003190544.tif 000019